(57)【要約】【課題】  粘着ローラを内蔵した医療用記録装置において、粘着ローラのユーザによる清掃を短時間に行い、かつ、清掃後のむら発生もなく速やかに運転再開可能なメンテナンス方法及びクリーニングシートを提供する。【解決手段】  このクリーニングシート１は、フィルムを搬送する医療用記録装置の搬送系に設けられフィルムに付着した異物を転写し除去可能な粘着ローラ１４０ｂのクリーニングに用い、粘着ローラの軸方向で粘着ローラの表面に追従可能な可撓性を有する可撓性シート体と、可撓性シート体の少なくとも一方の面を粘着面３とするように形成された粘着層と、可撓性シート体の少なくとも一側端に沿って所定幅で粘着面に設けられかつ可撓性シート体の剛性を向上させる補助部材５，６を備える。【選択図】  図６
2006003515.tif 000002
【特許請求の範囲】
【請求項１】
シート状の感光性フィルムを保持し載置するフィルム載置手段と、
前記フィルム載置手段に載置された感光性フィルムを搬送し、所定の粘着力を有し、前記搬送される感光性フィルムに当接してその表面上の異物を除去可能な粘着ローラを有する搬送手段と、
前記搬送された感光性フィルムに診断画像信号に対応する潜像を形成する露光手段と、
前記フィルム載置手段、前記搬送手段及び前記露光手段を遮光状態に保つことが可能であり前記搬送手段の粘着ローラ近傍を開放可能なカバー手段と、を備える医療用記録装置のメンテナンス方法であって、
前記カバー手段により粘着ローラ近傍を開放し、
少なくとも片面に前記粘着ローラの粘着力よりも大きな粘着力を有し、ローラ軸方向に可撓性を有するシート状体を前記粘着ローラに係合させ、
この係合状態で前記粘着ローラを回転し、前記シート状体を搬送させながら前記粘着ローラの表面上の異物を前記シート状体に転写させ、前記シート状体を取り除くことを特徴とする医療用記録装置のメンテナンス方法。
【請求項２】
前記異物の前記シート状体への転写後、前記シート状体と前記粘着ローラの係合を解除する請求項１に記載の医療用記録装置のメンテナンス方法。
【請求項３】
前記粘着ローラが感光性フィルムフィルムを搬送するニップローラ機能を兼ねる請求項１または２に記載の医療用記録装置のメンテナンス方法。
【請求項４】
前記シート状体と前記粘着ローラを係合させ、前記粘着ローラを正逆転させる請求項１，２または３に記載の医療用記録装置のメンテナンス方法。
【請求項５】
前記粘着ローラがフィルムの潜像形成面に当接する請求項１乃至４のいずれか１項に記載の医療用記録装置のメンテナンス方法。
【請求項６】
感光性フィルムシート、または、輝尽性蛍光体シートを搬送する医療用装置の搬送系に設けられ前記シートに付着した異物を転写し除去可能な粘着ローラのクリーニングに用いるクリーニングシートであって、
前記粘着ローラの軸方向で前記粘着ローラの表面に追従可能な可撓性を有する可撓性シート体と、
前記可撓性シート体の少なくとも一方の面を粘着面とするよう前記一方の面に形成された粘着層と、
前記可撓性シート体の少なくとも一側端に沿って所定幅で前記粘着面に設けられかつ前記可撓性シート体の剛性を向上させる補助部材と、を備えることを特徴とするクリーニングシート。
【請求項７】
前記補助部材の表面が滑面性を有する請求項６に記載のクリーニングシート。
【請求項８】
前記補助部材はその端部が前記粘着面からはみ出ている請求項６または７に記載のクリーニングシート。
【請求項９】
前記粘着面を覆うカバーシートを有し、クリーニング使用時には前記カバーシートを除去し、前記粘着面を露呈させることが可能である請求項６，７または８に記載のクリーニングシート。
【請求項１０】
請求項１乃至５のいずれか１項に記載の医療用記録装置のメンテナンス方法における前記シート状体として用いられることを特徴とする請求項６乃至９のいずれか１項に記載のクリーニングシート。
【発明の詳細な説明】
【技術分野】
【０００１】
本発明は、粘着ローラを内蔵する医療用記録装置のメンテナンス方法及びクリーニングシートに関するものである。
【背景技術】
【０００２】
一般的なシート搬送系では、シート搬送に伴い発生する紙粉等がローラに付着すると、摩擦係数が低下し、搬送ジャムを誘発する可能性あり、このための対策として、下記特許文献１は、紙粉をローラからはぎ取る（クリーニングする）粘着層を片面に設けたシートを装置内で搬送させて装置外ヘ排出させることにより装置内の搬送系のローラのクリーニングを行う方式を開示する。
【０００３】
また、下記特許文献２は、クリーニングシートの粘着層の反対面側の表面粗さを所定の範囲に収めることで、当該シートの搬送安定性をはかる方法を開示する。
【０００４】
また、下記特許文献３は、医療用レザーイメージャ等においては、露光時にフィルム乳剤面に付着した異物が、最終仕上がりフィルム上で、白ポチ（白抜け）となって表れ易いので、異物が付着し難いフィルム物性を用いることを開示する。
【０００５】
また、下記特許文献４は、一般の露光系のみならず、熱現像転写方式の記録装置においても、記録材搬送系及び転写シート搬送系に介在した異物が最終画像に対し白抜け（画像欠陥）を生じるため、搬送系に粘着性を有するクリーニングシートを搬送・排出して搬送系の異物を除去する方式を開示する。
【０００６】
更に、塵挨除去の考え方を進めて、下記特許文献５は、装置内で搬送を司る搬送ローラに接離可能な粘着ローラを接触させて、搬送ローラ表面をクリーニングする方式を開示する。また、下記特許文献６は、装置内を搬送される被般送媒体（シート）に直接粘着ローラを係合させて、被搬送媒体表面の異物を除去する方式を開示する。
【０００７】
医療の分野、特に、乳房診断においては、読影すべき対象が、上記の白ポチ（白抜け）と類似の微小石灰化となるので、輝尽性蛍光体プレートからの読み取り画像や、仕上がりフィルム画像中に存在する画像欠陥（白ポチ、白抜け）の排除は、読影（診断）精度にも影響する重要な問題であることが知られている（下記特許文献７参照）。
【０００８】
即ち、医療用装置には、上述する事務機のように所定サイクル毎に搬送系を粘着シト等でクリーニングする方式では充分では無く、粘着ローラ等を内蔵し、常に異物が除去される後者の方式が好ましいのである。
【０００９】
ところで、粘着ローラを内蔵する方式においては、初期性能に問題はあまり生じないが、粘着ローラが、塵挨・異物を吸着（貼着）し続けると、ついには、一旦吸着した塵挨・異物が、シート状フィルム等に最終的に付着することになるので、仕上がり画像に影響を及ぼす前にメンテナンス（粘着ローラからの塵挨・異物等の除去）が必要になる。
【００１０】
この対策として、粘着ローラから塵挨・異物を転写させる転写用ローラ（このローラも粘着性を有し、粘着力は粘着ローラよりも大きい）を粘着ローラ表面に作用させることにより仕上がり画像ヘの影響が発生までの時間を延ばす方式が提案されている。
【００１１】
しかしながら、この方式は下記のような不具合を有している。
(1)最終的には転写ローラのメンテナンスが必要となる。
(2)通常の処理時に駆動系ヘの負荷を軽減するための転写ローラの圧着解除機構が必要となり機構が複雑化する（従って、転写ローラのメンテナンスも取り外し等の工数がかかる）。
(3)圧着解除無しであると、装置非稼働時に粘着ローラと転写ローラの貼り付きが懸念されるため、両者の粘着力を低下せざるを得なくなり、本来の塵挨・異物粘着性能を低下させることになる。
(4)転写ローラから付着した塵挨や異物を除去するのに流水で洗浄する必要があるので、乾くまで待たないと装置に再装填できない。
(5)転写ローラ表面を人手で布等で拭くと、作業定量化が難しく、逆に清掃むらが発生し易く、装置稼働再開時に仕上がりフィルムに清掃むらが転写される結果となる。
【特許文献１】特開平０５−６９６５４号公報
【特許文献２】特開平１０−１２９０７８号公報
【特許文献３】特開２００４一１２５８７号公報
【特許文献４】特開平０６−３２８７４２号公報
【特許文献５】特開２００２−２２０１２８号公報
【特許文献６】特開２００２−３３７３７０号公報
【特許文献７】特開平１０−１３３３０９号公報
【発明の開示】
【発明が解決しようとする課題】
【００１２】
本発明は、上述のような従来技術の問題に鑑み、粘着ローラを内蔵した医療用記録装置において、粘着ローラのユーザによる清掃を短時間に行い、かつ、清掃後のむら発生もなく速やかに運転再開可能なメンテナンス方法及びそのメンテナンス方法に用いることのできるクリーニングシートを提供することを目的とする。
【課題を解決するための手段】
【００１３】
上記目的を達成するために、本発明による医療用記録装置のメンテナンス方法は、シート状の感光性フィルムを保持し載置するフィルム載置手段と、前記フィルム載置手段に載置された感光性フィルムを搬送し、所定の粘着力を有し、前記搬送される感光性フィルムに当接してその表面上の異物を除去可能な粘着ローラを有する搬送手段と、前記搬送された感光性フィルムに診断画像信号に対応する潜像を形成する露光手段と、前記フィルム載置手段、前記搬送手段及び前記露光手段を遮光状態に保つことが可能であり前記搬送手段の粘着ローラ近傍を開放可能なカバー手段と、を備える医療用記録装置のメンテナンス方法であって、前記カバー手段により粘着ローラ近傍を開放し、少なくとも片面に前記粘着ローラの粘着力よりも大きな粘着力を有し、ローラ軸方向に可撓性を有するシート状体を前記粘着ローラに係合させ、この係合状態で前記粘着ローラを回転し、前記シート状体を搬送させながら前記粘着ローラの表面上の異物を前記シート状体に転写させ、前記シート状体を取り除くことを特徴とする。
【００１４】
この医療用記録装置のメンテナンス方法によれば、粘着ローラに当接可能で、少なくとも片面に粘着層を有する可撓性のシート状体を内蔵された粘着ローラに係合させて所定長さだけ搬送することで、粘着ローラの表面に十分に密着して粘着ローラの表面に付着していた塵挨・異物等をシート状体に転写させた後、そのシート状体を除去することで、粘着ローラの表面を均一にクリーニングできるので、粘着ローラを内蔵した医療用記録装置において、粘着ローラのユーザによる清掃を短時間に行い、かつ、清掃後のむら発生もなく速やかに運転再開が可能となる。
【００１５】
上記医療用記録装置のメンテナンス方法において、前記異物の前記シート状体への転写後、前記シート状体と前記粘着ローラの係合を解除することが好ましい。
【００１６】
また、上記医療用記録装置の前記粘着ローラが感光性フィルムフィルムを搬送するニップローラ機能を兼ねる場合に、粘着ローラを取り外すことなくクリーニングを行うことができるので、クリーニングがし易い。
【００１７】
また、前記シート状体と前記粘着ローラを係合させ、前記粘着ローラを正逆転させることで、粘着ローラを比較的ゆっくりと回転できるので、粘着ローラからの塵挨・異物等をシート状体に効率よく転写でき除去できる。
【００１８】
前記粘着ローラがフィルムの潜像形成面に当接するように配置されることが好ましく、画像形成面における異物を除去でき、読影（診断）精度にも影響する最終画像における白抜け等の画像欠陥の発生を防止できる。
【００１９】
本発明によるクリーニングシートは、感光性フィルムシート、または、輝尽性蛍光体シートを搬送する医療用記録装置の搬送系に設けられ前記シートに付着した異物を転写し除去可能な粘着ローラのクリーニングに用いるクリーニングシートであって、前記粘着ローラの軸方向で前記粘着ローラの表面に追従可能な可撓性を有する可撓性シート体と、前記可撓性シート体の少なくとも一方の面を粘着面とするよう前記一方の面に形成された粘着層と、前記可撓性シート体の少なくとも一側端に沿って所定幅で前記粘着面に設けられかつ前記可撓性シート体の剛性を向上させる補助部材と、を備えることを特徴とする。
【００２０】
このクリーニングシートによれば、少なくとも片面にある粘着面を粘着ローラに係合させることで、粘着ローラの表面に十分に密着して粘着ローラの表面に付着していた塵挨・異物等を粘着面に転写させた後、そのクリーニングシートを除去することで、粘着ローラの表面を均一にクリーニングできるので、粘着ローラを内蔵した医療用記録装置において粘着ローラのユーザによる清掃を短時間に行い、かつ、清掃後のむら発生もなく速やかに運転再開が可能となる。
【００２１】
上記クリーニングシートにおいて前記補助部材の表面が滑面性を有することが好ましく、表面離型性を得ることができ、粘着ローラにいったん当接したときに離れ易くなり、取り扱い易くなる。
【００２２】
また、前記補助部材はその端部が前記粘着面からはみ出ていることが好ましく、粘着ローラに係合させるときに、粘着面が粘着ローラの表面以外に付いて取り扱い難くなることがない。
【００２３】
また、前記粘着面を覆うカバーシートを有し、クリーニング使用時には前記カバーシートを除去し、前記粘着面を露呈させることが可能であることが好ましい。
【００２４】
上記クリーニングシートは、上述の医療用記録装置のメンテナンス方法における前記シート状体として用いられることが好ましい。
【発明の効果】
【００２５】
本発明のメンテナンス方法によれば、粘着ローラを内蔵した医療用記録装置において、粘着ローラのユーザによる清掃を短時間に行い、かつ、清掃後のむら発生もなく速やかに装置の運転を再開できる。
【００２６】
本発明のクリーニングシートによれば、上記メンテナンス方法に用いることができ、粘着ローラを内蔵した医療用記録装置において、粘着ローラのユーザによる清掃を短時間に行い、かつ、清掃後のむら発生もなく速やかに装置の運転を再開できる。
【発明を実施するための最良の形態】
【００２７】
以下、本発明を実施するための最良の形態について図面を用いて説明する。図１は本実施の形態によるメンテナンス方法を適用可能な医療用記録装置の要部を示す正面図である。図２は図１の医療用記録装置の露光部を概略的に示す図である。
【００２８】
図１に示すように医療用記録装置１００は、シート状の熱現像感光材料である熱現像感光フィルム（以下、「フィルム」という場合もある。）を所定枚数でパッケージした包装体を装填し載置する第１及び第２の装填部１１，１２と、フィルムを１枚づつ露光・現像のために搬送する搬送部１５とを有する供給部１１０と、供給部１１０から給送されたフィルムを露光し潜像を形成する露光部１２０と、潜像を形成されたフィルムを熱現像する熱現像部１３０と、現像されたフィルムの濃度を測定し濃度情報を得る濃度計２００や搬送ローラ１４４Ａ等を含む冷却搬送部１５０と、を備える。
【００２９】
供給部１１０の第１及び第２の装填部１１，１２には、サイズの異なるフィルムをそれぞれ装填し保持することができ、第１の装填部１１または第２の装填部１２からフィルムが１枚づつ搬送部５、搬送ローラ対１３９，１４０，１４１により図１の矢印方向（１）に搬送される。搬送ローラ対１３９，１４０，１４１が第１搬送手段を構成し、フィルムを露光部１２０に向け下降搬送する。
【００３０】
次に、フィルムは、矢印方向（２）に水平搬送され搬送ローラ対１４２で副走査搬送されながら露光部１２０で診断画像信号に基づいてレーザ光が照射され潜像が形成される。
【００３１】
次に、搬送ローラ対１４６，１４５，１４４，１４３により矢印方向（３）へ搬送される。搬送ローラ対１４６，１４５，１４４，１４３が第２搬送手段を構成し、潜像の形成されたフィルムを熱現像部１３０に向け上昇搬送する。
【００３２】
次に、フィルムは熱現像部１３０で潜像が可視像化され、更に矢印方向（４）へ搬送ローラ１４４Ａにより搬送され冷却搬送部１５０で冷却されてから排出部１６０に排出される。
【００３３】
なお、図１において、フィルムは、潜像の形成される乳剤面Ｆ１（図４）が搬送ローラ対１３９，１４０，１４１では図の右面に位置し、露光部１２０の搬送ローラ対１４２では図の上面に位置し、搬送ローラ対１４６，１４５，１４４，１４３では図の左面に位置する。
【００３４】
次に、露光部について説明する。図２のように、露光部１２０は、診断画像信号Ｓに基づき強度変調されたレーザ光Ｌを、回転多面鏡１１３によって偏向して、フィルムＦ上を主走査すると共に、フィルムＦをレーザ光Ｌに対して主走査の方向と略直角な方向に相対移動させることにより副走査し、レーザ光Ｌを用いてフィルムＦに潜像を形成するものである。
【００３５】
露光部１２０のより具体的な構成を以下に述べる。図２において、外部の画像出力装置１２１から出力された画像データをネットワーク等を介して受信し、その診断画像データのデジタル信号である診断画像信号Ｓは、Ｄ／Ａ変換器１２２においてアナログ信号に変換され、変調回路１２３に入力される。変調回路１２３は、かかるアナログ信号に基づき、レーザ光源部１１０ａのドライバ１２４を制御して、レーザ光源部１１０ａから変調されたレーザ光Ｌを照射させるようになっている。
【００３６】
レーザ光源部１１０ａから照射されたレーザ光Ｌは、レンズ１１２を通過し、シリンドリカルレンズ１１５により上下方向にのみ収束されて、図中矢印Ａ’方向に回転する回転多面鏡１１３に対し、その駆動軸に垂直な線像として入射するようになっている。回転多面鏡１１３は、レーザ光Ｌを主走査方向に反射し偏向し、偏向されたレーザ光Ｌは、２枚のレンズを組み合わせてなるシリンドリカルレンズを含むｆθレンズ１１４を通過した後、光路上に主走査方向に延在して設けられたミラー１１６で反射されて、搬送ローラ対１４２により、矢印Ｙ方向に搬送されている（副走査される）フィルムＦの被走査面１１７上を、矢印Ｘ方向に繰り返し主走査する。すなわち、レーザ光Ｌを、フィルムＦ上の被走査面１１７の全面にわたって走査する。
【００３７】
ｆθレンズ１１４のシリンドリカルレンズは、入射したレーザ光ＬをフィルムＦの被走査面１１７上に、副走査方向にのみ収束させるものとなっており、また前記ｆθレンズ１１４から前記被走査面までの距離は、ｆθレンズ１１４全体の焦点距離と等しくなっている。このように、露光部１２０においては、シリンドリカルレンズを含むｆθレンズ１１４及びミラー１１６を配設しており、レーザ光Ｌが回転多面鏡１１３上で、一旦副走査方向にのみ収束させるようになっているので、回転多面鏡１１３に面倒れや軸ブレが生じても、フィルムＦの被走査面１１７上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。以上のようにして、フィルムＦに診断画像信号Ｓに基づく診断画像の潜像が形成されることとなる。
【００３８】
図１の熱現像部１３０は、フィルムＦを外周にほぼ密着して保持しつつ加熱及び回転可能な加熱部材としての加熱ドラム１４を有し、加熱ドラム１４の内周部には通電制御により発熱し温度制御されるヒータが配置されている。また、加熱ドラム１４の外方には、案内部材かつ押圧部材として加熱ドラム１４に比べて小径の回転自在の対向ローラ１６が加熱ドラム１４に接するように複数本設けられており、加熱ドラム１４に対して平行に対向するように配置されている。
【００３９】
加熱ドラム１４は、上述のように潜像が形成されたフィルムＦを複数の対向ローラ１６との間に挟んだ状態で加熱し回転しながら搬送することで、所定の最低熱現像温度以上に、所定の熱現像時間維持することによって、フィルムＦに潜像を可視の診断画像として形成する。ここで、最低熱現像温度とは、フィルムＦに形成された潜像が熱現像され始める最低温度のことであり、例えば９５℃以上である。一方、熱現像時間とは、フィルムＦの潜像を所望の現像特性に現像するために、最低熱現像温度以上に維持するべき時間をいう。
【００４０】
次に、図１の医療用記録装置１００の搬送ローラ対１４０に配置された粘着ローラのクリーニング処理操作のための構成について図３，図４を参照して説明する。図３は図１の医療用記録装置の筐体から側面カバー部材を開放した状態を示す要部斜視図である。図４は図１の搬送ローラ対１３９，１４０，１４１（第１搬送手段）の概略的な側面図である。
【００４１】
図１のように、医療用記録装置１００では、熱現像部１３０の下側部分の筐体１０１内に上から順に第１の装填部１１、第２の装填部１２、露光部１２０が積み重なるようにして配置されている。筐体１０１の両側面に設けられた側面カバー部材１ａ、１ｂは筐体１０１側に対しビス止め構造とされ、例えば、図３の破線のように側面カバー部材１ａが筐体１０１側に設けられた複数のビス穴１ｃにビスにより取り付けられることで内部が遮光状態とされる。ビス止めを解除することで側面カバー部材１ａ、１ｂを取り外し開放可能に構成されている。なお、両側面カバー部材１ａ、１ｂは、公知のロック機構及びロック開放のためのソレノイド等で構成される開放方式を採用し、図示せぬ制御手段でソレノイドを制御することで自動開放するように構成してもよい。
【００４２】
図１，図３，図４に示すように、搬送ローラ対１３９の下流側に配置される搬送ローラ対１４０は、回転方向ｔの一方向に回転駆動される駆動ローラ１４０ａと、従動ローラである粘着ローラ１４０ｂと、を有し、搬送ローラ対１３９から送られてきたフィルムＦを図１，図４の下方の方向（１）に搬送する。また、クリーニングのとき、操作レバー１４７を図３のように粘着ローラ１４０ｂの軸端に取り付け、操作レバー１４７を操作することで駆動ローラ１４０ａを回転させることができるようになっている。
【００４３】
搬送ローラ対１４０の駆動ローラ１４０ａは樹脂材料から構成され、粘着ローラ１４０ｂはローラ表面が粘着性を有し、例えば、ブチルゴム系粘着ローラ、シリコンゴム系粘着ローラ、ウレタン系粘着ローラ、スチレン系エラストマー粘着ローラ等から構成できるが、これらに限定されるものではない。粘着ローラ１４０ｂはフィルムＦの乳剤面Ｆ１に接触するように筐体１０１内部側に配置されている。粘着ローラ１４０ｂのローラ表面には塵埃等の異物が付着し易く、図４のように、粘着ローラ１４０ｂがフィルムＦの乳剤面Ｆ１に接触することで、乳剤面Ｆ１に付いた塵埃等を効果的に除去することができる。
【００４４】
搬送ローラ対１４０から送られてきたフィルムＦは、図１，図３，図４のように、搬送ローラ対１４０の下流側に配置された搬送ローラ対１４１で垂直方向から水平方向に方向転換し、露光部１２０において搬送ローラ対１４２により副走査搬送される。
【００４５】
図４に示すように、搬送ローラ対１４０の上流側には、搬送されるフィルムＦの各面に対向するように一対のガイド部材１４８，１４９が配置されており、フィルムＦに塵埃等ができるだけ付かないようにしている。ガイド部材１４８が側面カバー部材１ａ側に位置し、ガイド部材１４９が筐体１０１内部側に位置している。
【００４６】
図４の破線に示すようにガイド部材１４８は側面カバー部材１ａと連結部１４８ａで連結されており、側面カバー部材１ａを図３のように取り外したとき、ガイド部材１４８も連動して図４の実線位置から方向ｍに破線位置へと一体に取り外されるようになっている。
【００４７】
次に、医療用記録装置１００の搬送ローラ対１４０の粘着ローラ１４０ｂをクリーニングするためのクリーニングシートについて図５を参照して説明する。図５は本実施の形態によるクリーニングシートの斜視図（ａ）及び部分拡大断面図（ｂ）である。
【００４８】
図５（ａ）、（ｂ）のように、クリーニングシート１は、可撓性を有する矩形状の可撓性シート体２と、可撓性シート体２の一方の面を粘着面３にするように形成された粘着層３ａと、可撓性シート体２の両端に沿って所定幅で粘着面３に設けられて可撓性シート体２の剛性を向上させる補助部材５，６と、を備える。
【００４９】
可撓性シート体２は例えばＰＥＴシートから構成でき、その厚さを例えば５０μｍ程度にできる。粘着層３ａは粘着面３が粘着ローラ１４０ｂの表面よりも大きい粘着力を有するように形成されている。粘着面３の粘着力は粘着ローラ１４０ｂの表面よりも５乃至１０倍程度が好ましい。粘着層３ａは、例えば、アクリル系溶剤型粘着剤から形成でき、その粘着力は１２〜１５Ｎ／２５ｍｍ(JIS Z 0237による)程度が好ましい。
【００５０】
可撓性シート体２の粘着面３には、図５（ａ）のように、その両端側に粘着面から若干はみ出すように滑面性のある補助部材５，６が配置されて貼付けられており、かかる構成により、両端部分のクリーニングシートの剛性を上げることが可能となり、ユーザが片手で、そのクリーニングシートの先端部分をつかんで、粘着ローラのニップ部に差し込むことが可能となる。また、粘着ローラのニップ部に先端を挿入する時、２〜３度やり直しても、粘着面３の表面は先端部に露呈しておらず、補助部材５，６の滑面層となっているので、特に問題を生じることもない。なお、ＰＥＴシートの厚さが決まると、補助部材５，６の厚さを適宜選定することで、所望の剛性が得られることは言うまでもない。更に、可撓性シートの両面を粘着面とし、両面に対し上記の補助部材を設けても良い。こうすることで、可撓性シート体の表裏を間違うことが防止できる。また、この際には一端部には２枚の補助部材が作用するので、剛性は向上する。
【００５１】
補助部材５，６は、例えば上質紙の両面にポリエチレンラミネート加工処理を施し、片面に剥離処理を施したものから構成できる。また、補助部材５，６が粘着面３から若干はみ出すことで、粘着ローラ１４０ｂに係合させるときに、粘着面３が粘着ローラ１４０ｂの表面以外に付いて取り扱い難くなることを防ぐことができる。
【００５２】
また、補助部材５，６の中央部分には補助部材５，６と同じ材料からなるカバーシート４が配置されており、クリーニングシート１をクリーニングに用いるときに、カバーシート４を剥離し除去して粘着面３を露呈させる。
【００５３】
次に、図１の医療用記録装置１００のメンテナンスのときに、図５のクリーニングシート１を用いて図１，図３，図４の粘着ローラ１４０ｂをクリーニングする方法について図６を参照して説明する。図６は図４の搬送ローラ対１４０を図５のクリーニングシート１でクリーニングする様子を示す要部側面図である。
【００５４】
図１，図３，図４の搬送ローラ対１４０の粘着ローラ１４０ｂのクリーニングを行うときは、まず、医療用記録装置１００の筐体１０１から側面カバー部材１ａのビス止めを解除し、または、ソレノイドによる自動開放方式の場合は操作部（図示省略）からカバー開放情報を入力し、側面カバー部材１ａを開放する。このとき、側面カバー部材１ａが開放されると、ガイド部材１４８も連動して取り外される。これにより、図３のように、搬送ローラ対１４０の駆動ローラ１４０ａと、粘着ローラ１４０ｂの一部が露出する。
【００５５】
次に、図６のように、図５のクリーニングシート１を補助部材５が粘着ローラ１４０ｂ側になるようにして搬送ローラ対１４０のニップ部に接近させる。このとき、オペレータはクリーニングシート１の端部の剛性がアップしている補助部材５を手で掴み、搬送ローラ対１４０のニップ部を目指してクリーニングシート１を容易に挿入でき、また、この挿入時に補助部材５が粘着面３よりもはみ出ているので先端が他部分に貼り付くこともないので、クリーニングがし易い。
【００５６】
次に、図３の操作レバー１４７により、駆動ローラ１４０ａの駆動源であるステッピングモータのロータ及びステータによる自己保持力を含む駆動系負荷に抗して、間欠的に駆動ローラ１４０ａを一方向ｔに回転させることで、クリーニングシート１を搬送ローラ対１４０に挟持して図６の下方に移動させ、その粘着面３を粘着ローラ１４０ｂに係合させながら粘着面３の距離程度の所定長さで移動させる。これにより、可撓性シート体２は、可撓性のあるシート特性により粘着ローラ１４０ｂのローラ軸方向でローラ表面に追従可能であるため、ローラ軸方向で均一に粘着面３が粘着ローラ１４０ｂのローラ表面に係合しシワが発生することもなく、均一なクリーニングが可能となる。
【００５７】
次に、駆動ローラ１４０ａを逆方向に回転させることで、クリーニングシート１を搬送ローラ対１４０に挟持して図６の上方に移動させ、その粘着面３を粘着ローラ１４０ｂに係合させた状態で元に戻し、かかる往復動作を２〜３回転相当程度行うことで、粘着ローラ１４０ｂの全ローラ外周面をクリーニングする。この後、逆方向に回転させて可撓性シート体２の端部を粘着ローラ１４０ｂのニップ部より離間させる（この操作を、本発明では、シート状体と粘着ローラの係合を解除する、という。）。これにより、粘着ローラ１４０ｂの表面上の異物をクリーニングシート１の粘着面３に転写させ、粘着ローラ１４０ｂの表面を均一にクリーニングできる。なお、上述の操作ではなく、ニップ部をニップ状態のままとし、強引にクリーニングシートを引き出したりする操作や、ニップ部を手で離間させ、クリーニングシートを引き出したりする操作を行うと、再度粘着ローラ１４０ｂにせっかく除去した異物が転写する場合があり、好ましくない。
【００５８】
次に、クリーニングシート１をニップ部より取り除くことでクリーニングが完了する。このようにして粘着ローラ１４０ｂの表面から塵挨等の異物を除去してから、外装カバー１ａを閉じれば、直ちに診断画像をプリント可能となる。
【００５９】
また、本発明者等の検討によれば、粘着ローラ１４０ｂからクリーニングシート１への転写は、粘着力が同一の場合、クリーニングシート１の移動速度が遅いほうが転写率がよく、この状況に鑑み、供給部１１０から露光部１２０までの搬送系の搬送ローラ対１４０の粘着ローラに対応する外装カバーを開放し、粘着ローラ自体または搬送系の駆動系をユーザーがマニュアルで比較的ゆっくりと移動（回転）させることが好ましい。なお、通常、外装カバー開放時は、安全上の観点から駆動部品への電源供給をＯＦＦするので、この点からも好ましい。
【００６０】
また、クリーニングシート１の搬送長さは、粘着ローラ１４０ｂの外周面長さ以上であることが好ましいが、マニュアルによる移動を続け、クリーニングシート１の端が下流側に行き過ぎて取り除くことが困難にならない程度の長さであることが好ましい。
【００６１】
また、クリーニングシート１による粘着ローラ１４０ｂのメンテナンス方法によれば、オペレータとなる放射線科の技師等は、メンテナンス対象の粘着ローラに直接は触れず、クリーニングシート１の先端を搬送ローラ対１４０のニップ部に挿入するだけでよいので、作業者による拭きむら等が発生することなく、クリーニングの均一化が可能となる。
【００６２】
また、搬送ローラ対においてフィルムの乳剤面側及びバックコート面側ともに粘着ローラが設けられている場合には、上記粘着面を可撓性シート体２の両面に設け、補助部材も両面端部に設けることが好ましい。
【００６３】
以上のように、本実施の形態のメンテナンス方法によれば、クリーニングシート１により粘着ローラ１４０ｂの表面を均一にクリーニングできるので、粘着ローラを内蔵した医療用記録装置１００において粘着ローラのユーザによる清掃を短時間に行い、かつ、清掃後のむら発生もなく速やかに装置の運転再開が可能となる。また、画像形成面である乳剤面における異物を充分に除去できるので、読影（診断）精度にも影響する最終画像における白抜け等の画像欠陥の発生を確実に防止できる。
【００６４】
以上のように本発明を実施するための最良の形態について説明したが、本発明はこれらに限定されるものではなく、本発明の技術的思想の範囲内で各種の変形が可能である。例えば、搬送ローラ対１３９，１４１等にも粘着ローラを配置する構成としてもよく、フィルムの乳剤面から効率的に異物を除去できる。
【００６５】
また、第２搬送手段（搬送ローラ対１４６，１４５，１４４，１４３）側にも図４と同様の粘着ローラを配置してもよく、図４と同様の構成とすることでクリーニングシート１により粘着ローラの清掃を充分にかつ均一に実行できる。これにより、フィルムに塵埃等の異物が付着したままフィルムを加熱し欠陥を形成してしまうことを防止できる。
【図面の簡単な説明】
【００６６】
【図１】本実施の形態による医療用記録装置の要部を示す正面図である。
【図２】図１の医療用記録装置の露光部を概略的に示す図である。
【図３】図１の医療用記録装置の筐体から側面カバー部材を開放した状態を示す要部斜視図である。
【図４】図１の搬送ローラ対１３９，１４０，１４１の概略的な側面図である。
【図５】本実施の形態によるクリーニングシートの斜視図（ａ）及び部分拡大断面図（ｂ）である。
【図６】図４の搬送ローラ対１４０を図５のクリーニングシート１でクリーニングする様子を示す要部側面図である。
【符号の説明】
【００６７】
１ クリーニングシート（シート状体）
１ａ 側面カバー部材
２ 可撓性シート体
３ 粘着面
３ａ 粘着層
４ カバーシート
５，６ 補助部材
１１，１２ 装填部（フィルム載置手段）
１００ 医療用記録装置
１０１ 筐体
１１０ 供給部
１２０ 露光部
１３０ 熱現像部
１３９，１４０，１４１ 搬送ローラ対（搬送手段）
１４０ａ 駆動ローラ
１４０ｂ 粘着ローラ
１４６，１４５，１４４，１４３ 搬送ローラ対
Ｆ フィルム（感光性フィルムシート）
Ｆ１ 乳剤面
Ｓ 診断画像信号
【図１】
2006003515.tif 000003
【図２】
2006003515.tif 000004
【図３】
2006003515.tif 000005
【図４】
2006003515.tif 000006
【図５】
2006003515.tif 000007
【図６】
2006003515.tif 000008